(57)【要約】【課題】ユーザーが必要に応じて内視鏡用バルーンを内視鏡挿入部の遠位端に簡単に、かつ所望の位置に確実に取付けることができる内視鏡を提供することにある。【解決手段】内視鏡１の挿入部２の遠位端にバルーンを設けた内視鏡において、前記挿入部２の遠位端に内視鏡用バルーン１９の取付け位置を示す指標としての環状凹部１８を設けたことを特徴とする。【選択図】      図２
2005230083.tif 000002
【特許請求の範囲】
【請求項１】
内視鏡の挿入部の遠位端にバルーンを取付けることができる内視鏡において、
前記挿入部の遠位端に前記バルーンの取付け位置を示すと共に、バルーンの開口部を係止することができる指標を設けたことを特徴とする内視鏡。
【請求項２】
前記指標は、前記挿入部に設けられた湾曲部を被覆する弾性部材に設けた凸部であることを特徴とする請求項１記載の内視鏡。
【請求項３】
前記指標は、前記挿入部に設けられた湾曲部を被覆する弾性部材に設けた凹部であることを特徴とする請求項１記載の内視鏡。
【請求項４】
前記指標は、前記挿入部に設けられた先端構成部のカバーの段差であることを特徴とする請求項１記載の内視鏡。
【請求項５】
前記バルーンは、前記内視鏡に装着されるフードと一体であることを特徴とする請求項１記載の内視鏡。
【請求項６】
前記フードに、前記内視鏡の先端構成部との突き当て部を設けたことを特徴とする請求項５記載の内視鏡。
【請求項７】
前記バルーンは、前記内視鏡に装着されるフードによって固定されていることを特徴とする請求項１記載の内視鏡。
【請求項８】
前記フードの外径は、前記内視鏡の挿入部に外嵌されるオーバチューブの近位端側の内径よりに大径であることを特徴とする請求項７記載の内視鏡。
【請求項９】
前記内視鏡の挿入部に設けられた湾曲部の軸方向の略中間部にはバルーン固定部を有していることを特徴とする請求項１記載の内視鏡。
【発明の詳細な説明】
【技術分野】
【０００１】
この発明は、経口的または経肛門的に体腔内に挿入して体腔内を観察する内視鏡に関する。
【背景技術】
【０００２】
医療用内視鏡を体腔内の深部消化管腔、例えば小腸へ挿入する場合の手技として、経口的に挿入する場合と経肛門的に挿入する場合とがある。いずれにしても、腸管は複雑に屈曲をしているために、体腔外で内視鏡の挿入部を押し進めても、挿入部の先端部に力が伝わり難く、深部へ挿入することは困難である。
【０００３】
そこで、内視鏡の挿入部を複雑に屈曲した腸管にスムーズに挿入できるように、内視鏡の先端部に内視鏡用バルーンを設けると共に、内視鏡挿入部に外挿したオーバチューブ（スライディグチューブ）の先端部にオーバチューブ用バルーンを設けたダブルバルーン式内視鏡システムが知られている（例えば、特許文献１参照。）。
【０００４】
これは、内視鏡挿入部を深部に挿入する際のガイドとしての役目を果たすオーバチューブを腸管の深部まで挿入した後、オーバチューブ用バルーンを膨らましてオーバチューブ用バルーンを腸管に固定し、この状態で、オーバチューブを後退させることにより、腸管の撓みをとって内視鏡挿入部をより深部に挿入するようになっている。
【０００５】
また、オーバチューブ用バルーンを膨らましてオーバチューブを腸管に固定する際に、腸管等に負担を掛けないように、バルーンの材質をラテックスのように軟質のものにしたもの、またバルーンの内圧を測定して圧力を制御できるようにしたものも知られている（例えば、特許文献２，３参照。）。
【特許文献１】特開平１１−２９０２６３号公報
【特許文献２】特開２００１−３４０４６２号公報
【特許文献３】特開２００２−３０１０１９号公報
【発明の開示】
【発明が解決しようとする課題】
【０００６】
しかしながら、一般的に内視鏡挿入部の先端部への内視鏡用バルーンの取付け作業は煩雑であり、取付け作業性が悪いという問題がある。特許文献１〜３は、これらの解決策を提示するものではなく、また確実に所望の位置にバルーンを取付ける具体的手段についての言及もされていない。
【０００７】
この発明は、前記事情に着目してなされたもので、その目的とするところは、内視鏡用バルーンを内視鏡挿入部の遠位端に簡単かつ確実に所望の位置に取付けることができる内視鏡を提供することにある。
【課題を解決するための手段】
【０００８】
この発明は、前記目的を達成するために、請求項１は、内視鏡の挿入部の遠位端にバルーンを取付けることができる内視鏡において、前記挿入部の遠位端に前記バルーンの取付け位置を示すと共に、バルーンの開口部を係止することができる指標を設けたことを特徴とする。
【０００９】
請求項２は、請求項１の前記指標は、前記挿入部に設けられた湾曲部を被覆する弾性部材に設けた凸部であることを特徴とする。
【００１０】
請求項３は、請求項１の前記指標は、前記挿入部に設けられた湾曲部を被覆する弾性部材に設けた凹部であることを特徴とする。
【００１１】
請求項４は、請求項１の前記指標は、前記挿入部に設けられた先端構成部のカバーの段差であることを特徴とする。
【００１２】
請求項５は、請求項１の前記バルーンは、前記内視鏡に装着されるフードと一体であることを特徴とする。
【００１３】
請求項６は、請求項５の前記フードに、前記内視鏡の先端構成部との突き当て部を設けたことを特徴とする。
【００１４】
請求項７は、請求項１の前記バルーンは、前記内視鏡に装着されるフードによって固定されていることを特徴とする。
【００１５】
請求項８は、請求項７の前記フードの外径は、前記内視鏡の挿入部に外嵌されるオーバチューブの近位端側の内径よりに大径であることを特徴とする。
【００１６】
請求項９は、請求項１の前記内視鏡の挿入部に設けられた湾曲部の軸方向の略中間部にはバルーン固定部を有していることを特徴とする。
【発明の効果】
【００１７】
この発明によれば、挿入部の遠位端にバルーンの取付け位置を示す指標を設けたため、ユーザーが内視鏡用バルーンを内視鏡挿入部の遠位端に簡単かつ所望の位置に確実に取付けることができるという効果がある。
【発明を実施するための最良の形態】
【００１８】
以下、この発明の各実施の形態を図面に基づいて説明する。
【００１９】
図１〜図３は第１の実施形態であり、図１はダブルバルーン式内視鏡の全体の側面図、図２は挿入部の先端部の縦断側面図、図３は作用説明図である。
【００２０】
図１及び図２に示すように、例えば、小腸用の内視鏡１は細長い軟性の挿入部２を有しており、挿入部２の遠位端（先端側）には湾曲部３を介して先端構成部４が設けられている。挿入部２の近位端（基端側）には操作部５が設けられており、この操作部５にはアングル操作ノブ６が設けられている。さらに、操作部５は遠位端にコネクタ７を有するユニバーサルコード８が接続されている。
【００２１】
挿入部２には鉗子チャンネル、先端構成部４には照明光学系、固体撮像素子等の観察光学系（いずれも図示しない）が設けられ、挿入部２には鉗子チャンネル９が設けられ、この鉗子チャンネル９は操作部５の処置具挿入口１０と連通している。
【００２２】
前記挿入部２には、該挿入部２に外挿される内視鏡用オーバチューブ１１が設けられ、このオーバチューブ本体１２の遠位端にはオーバチューブ用バルーン１３が、近位端には把持部１４が設けられている。さらに、オーバチューブ用バルーン１３には第１の送気チューブ１５の一端部が接続され、この他端部にはエアポンプ等のエア供給源（図示しない）に接続される接続口１６が設けられている。
【００２３】
内視鏡１の先端構成部４及び湾曲部３の外周部にはその周方向に後述する内視鏡用バルーン１９の取付け位置を示す指標としての段差を形成する環状凹部１８が設けられている。環状凹部１８には内視鏡用バルーン１９がその弾性を利用して嵌合固定されている。
【００２４】
内視鏡用バルーン１９は、シリコンからなる内周筒部１９ａと外周筒部１９ｂとの両端部を溶着または接着することによって袋状に形成されている。従って、内視鏡用バルーン１９を環状凹部１８に装着する際には、内視鏡用バルーン１９の内周筒部１９ａを拡径方向に押し広げた状態で、内視鏡１の先端構成部４の前端部から嵌合し、内周筒部１９ａを環状凹部１８に位置決めすることにより装着される。この内視鏡用バルーン１９はそれ自体の弾性力によって環状凹部１８に密着するため、固定部材を設けることなく、簡単かつ強固に固定できる。
【００２５】
さらに、内周筒部１９ａと外周筒部１９ｂとの手元側の縁部にはゴム等の環状リング２０が嵌着されている。従って、内視鏡用バルーン１９はそれ自体の弾性と環状リング２０の弾性によって環状凹部１８に嵌着されている。なお、環状リング２０を設けることによって円環状凸部が形成されるため、オーバチューブ本体１２を前進させた際に、その遠位端が環状リング２０に当接し、それ以上の前進を阻止するストッパを兼ねている。
【００２６】
さらに、内視鏡用バルーン１９の内周筒部１９ａと外周筒部１９ｂとの先端側の縁部には第２の送気チューブ２１の一端部が接続され、この第２の送気チューブ２１は内視鏡用バルーン１９の内部と連通している。
【００２７】
また、内視鏡１の先端構成部４には前端面に開口する挿通孔２２が設けられ、この挿通孔２２には挿入部２の内部に突出する接続管２３が設けられている。そして、この接続管２３には鉗子チャンネル９の遠位端が接続されている。従って、挿通孔２２は鉗子チャンネル９を介して操作部５の処置具挿入口１０に連通している。
【００２８】
また、内視鏡用バルーン１９と接続する第２の送気チューブ２１は先端構成部４に設けられた挿通孔２２から鉗子チャンネル９に挿通され、第２の送気チューブ２１は処置具挿入口１０から導出されてエア供給源に接続されている。ここで、第２の送気チューブ２１を挿通するチャンネルは吸引機能を確保するために鉗子チャンネル９ではなく、専用のチャンネルにしてもよい。
【００２９】
本実施形態によれば、内視鏡用バルーン１９にエアを送気する第２の送気チューブ２１が内視鏡１の挿入部２に内挿されるため、第２送気チューブ２１が手技の邪魔にならないと共に、ダブルバルーン式内視鏡の構成の簡素化を図ることができる。さらに、環状凹部１８を設けているため、内視鏡用バルーン１９を所望の位置に確実にかつ簡便に取り付けることが可能である。また、バルーンの開口部を係止できるので、バルーンがずれることも防止できる。
【００３０】
なお、本実施形態においては、第２の送気チューブ２１を鉗子チャンネル９に挿通したが、第２の送気チューブ２１を鉗子チャンネル９の遠位端に接続し、鉗子チャンネル９を送気通路としてもよい。この場合、処置具挿入口１０にエア供給源と連通する接続チューブを接続すればよい。
【００３１】
次に、ダブルバルーン式内視鏡の作用について説明する。
【００３２】
図３はダブルバルーン式内視鏡を経口的に小腸に挿入して腸管の内壁を観察する手技を示し、ａは食道、ｂは胃、ｃは小腸を示す。まず、内視鏡１の挿入部２にオーバチューブ本体１２を挿通し、内視鏡用バルーン１９及びオーバチューブ用バルーン１３のエアを抜いて収縮状態とする。
【００３３】
次に、図３（Ａ）に示すように、内視鏡１の挿入部２を患者の口から体腔内に挿入し、操作部５のアングル操作ノブ６を操作して湾曲部３を湾曲操作しながら、挿入部２を食道ａ、胃ｂを経て小腸ｃに挿入する。そして、内視鏡１の挿入部２の先端構成部４が例えば十二指腸を通過したところで、リモートコントローラ等を操作してエア供給源を駆動する。
【００３４】
そして、図３（Ｂ）に示すように、第２の送気チューブ２１を介して内視鏡用バルーン１９にエアを供給して内視鏡用バルーン１９を膨張させると、内視鏡用バルーン１９が小腸cの内壁に圧接し、内視鏡１の先端構成部４が小腸cに固定される。この状態で、オーバチューブ本体１２の把持部１４を把持してオーバチューブ本体１２を挿入部２に沿って前進させると、オーバチューブ本体１２の遠位端が内視鏡用バルーン１９の後端部まで導かれる。
【００３５】
次に、図３（Ｃ）に示すように、再びリモートコントローラ等を操作してエア供給源から第１の送気チューブ１５を介してオーバチューブ用バルーン１３にエアが供給される。従って、オーバチューブ用バルーン１３が膨張して小腸cの内壁に圧接し、オーバチューブ本体１２の遠位端が固定される。この状態で、オーバチューブ本体１２の把持部１４を把持して内視鏡１の挿入部２と一体的にオーバチューブ本体１２を手元側に後退させると、その引張り力によってオーバチューブ本体１２と共に挿入部２の曲率半径が大きく、略直線状態になるため、小腸cの余分な撓みを取って小腸cを短くすることができる。
【００３６】
次に、図３（Ｄ）に示すように、内視鏡用バルーン１９のエアを抜いて収縮した状態とし、内視鏡１の挿入部２を小腸cの深部に向って押し進めると、挿入部２はオーバチューブ本体１２に案内されながら小腸cの深部に向って挿入される。
【００３７】
そして、内視鏡１の挿入部２の先端構成部４が小腸cの所望の位置まで前進したところで、図３（Ｅ）に示すように、再び第２の送気チューブ２１を介して内視鏡用バルーン１９にエアを供給して内視鏡用バルーン１９を膨張させて内視鏡用バルーン１９を小腸cの内壁に圧接して先端構成部４を固定する。
【００３８】
この状態で、オーバチューブ用バルーン１３のエアを抜いて収縮した状態とし、オーバチューブ本体１２の把持部１４を把持してオーバチューブ本体１２を挿入部２に沿って前進させる。そして、オーバチューブ本体１２の遠位端が内視鏡用バルーン１９の後端部まで到達したところで、図３（Ｆ）に示すように、再びオーバチューブ用バルーン１３を膨張させる。
【００３９】
この操作を繰り返すことにより、内視鏡１の先端構成部４を小腸ｃの深部まで挿入することができる。また、手技の際にオーバチューブ本体１２を内視鏡１の挿入部２に沿って頻繁に進退操作するが、第２の送気チューブ２１は挿入部２に内挿されているため、オーバチューブ本体１２を円滑に進退させることができるとともに、第２の送気チューブ２１が手技の邪魔にならない。
【００４０】
なお、図３はダブルバルーン式内視鏡を経口的に小腸に挿入する手技を示したが、ダブルバルーン式内視鏡を経肛門的に大腸を経て小腸に挿入する場合においても基本的に同じである。
【００４１】
図４及び図５は第２の実施形態を示し、第１の実施形態と同一構成部分は同一番号を付して説明を省略する。図４は内視鏡の先端部の縦断側面図、図５は内視鏡の側面図である。本実施形態は、内視鏡１の先端構成部４と湾曲部３の外被となる弾性部材２５には挿入部２の軸方向に離間して後述する内視鏡用バルーン２７の取付け位置を示す指標としての環状溝２６ａ，２６ｂが設けられている。
【００４２】
一方、内視鏡用バルーン２７はシリコンからなる円筒体で、その両端開口縁には環状溝２６ａ，２６ｂに弾性的に係合する環状凸部２８ａ，２８ｂが設けられている。さらに、内視鏡用バルーン２７の一端側の環状凸部２８ａには合成樹脂材料からなる円筒状のフード２９が外嵌して設けられ、このフード２９は先端構成部４に着脱可能に嵌合できるようになっている。
【００４３】
従って、内視鏡用バルーン２７を内視鏡１に装着する際には、内視鏡用オーバチューブ１１を挿入部２に外挿した後、内視鏡用バルーン２７の環状凸部２８ａ，２８ｂを拡径方向に押し広げた状態で、内視鏡１の先端構成部４の前端部から嵌合し、環状凸部２８ａ，２８ｂを環状溝２６ａ，２６ｂに位置決めすることにより装着される。この内視鏡用バルーン２７はそれ自体の弾性力によって環状溝２６ａ，２６ｂに密着するため、固定部材を設けることなく、簡単かつ強固に固定できる。
【００４４】
さらに、環状凸部２８ａの外周にはフード２９の一部が外嵌されているいので、より強固に固定することが可能である。なお、３０は連通孔であり、先端構成部４の径方向に貫通し、内視鏡用バルーン２７の内腔に連通しており、この連通孔３０は挿入部２に内挿された送気管路３１と接続されている。このとき、送気管路３１は挿入部２内から操作部５を経てユニバーサルコード８に内挿し、コネクタ７に設けられた送気接続口２４に接続されており、送気管路３１が外部に露出しないため、手技の邪魔にならないという効果がある。
【００４５】
さらに、内視鏡１の挿入部２にはオーバチューブ本体３２が外嵌されるようになっているが、内視鏡１に装着されたフード２９の外径をＡ、オーバチューブ本体３２の近位端側の内径をＢとしたとき、Ａ＞Ｂの関係にある。従って、内視鏡１に内視鏡用バルーン２７を装着した後に、オーバチューブ本体３２を内視鏡１の先端構成部４側から外嵌することを不可能として、内視鏡用バルーン２７の破損を未然に防止するようにしている。
【００４６】
図６は第３の実施形態を示し、第３の実施形態と同一構成部分は同一番号を付して説明を省略する。図６は内視鏡の先端部の縦断側面図である。本実施形態は、内視鏡１の先端構成部４と湾曲部３の外被となる弾性部材２５には後述する内視鏡用バルーン３３の取付け位置を示す指標としての環状突堤３４が設けられている。
【００４７】
一方、内視鏡用バルーン３３はシリコンからなる円筒体で、その一端開口縁には環状突堤３４に弾性的に係合する環状凸部３５が設けられ、他端開口縁にはフード３６が一体に設けられている。このフード３６は先端構成部４に着脱可能に嵌合でき、その内周部には先端構成部４の前面４ａに突き当たる突き当て凸部３７が設けられている。
【００４８】
従って、内視鏡用バルーン３３を内視鏡１に装着する際には、内視鏡用バルーン３３の環状凸部３５を拡径方向に押し広げた状態で、内視鏡１の先端構成部４の前端部から嵌合し、フード３６の内部の突き当て凸部３７を先端構成部４の前面４ａに突き当てた後、環状凸部３５を環状突堤３４に位置決めすることにより装着される。この内視鏡用バルーン３３はそれ自体の弾性力によって環状突堤３４に密着するため、固定部材を設けることなく、簡単かつ強固に固定できる。
【００４９】
図７は第４の実施形態を示し、第１の実施形態と同一構成部分は同一番号を付して説明を省略する。図７は内視鏡の先端部の縦断側面図である。本実施形態は、内視鏡１の湾曲部３の軸方向の略中間部には短管状のバルーン固定部３８が設けられている。さらに、先端構成部４とバルーン固定部３８には後述する内視鏡用バルーン２７の取付け位置を示す指標としての環状溝２６ａ，２６ｂが設けられている。一方、内視鏡用バルーン２７はシリコンからなる円筒体で、その両端開口縁には環状溝２６ａ，２６ｂに弾性的に係合する環状凸部３９ａ，３９ｂが設けられている。
【００５０】
従って、内視鏡用バルーン２７を内視鏡１に装着する際には、内視鏡用バルーン２７の環状凸部３９ａ，３９ｂを拡径方向に押し広げた状態で、内視鏡１の先端構成部４の前端部から嵌合し、環状凸部３９ａ，３９ｂを環状溝２６ａ，２６ｂに位置決めすることにより装着される。この内視鏡用バルーン２７はそれ自体の弾性力によって環状溝２６ａ，２６ｂに密着するため、固定部材を設けることなく、簡単かつ強固に固定できる。
【００５１】
前記各実施形態によれば、次のような構成が得られる。
【００５２】
（付記１）内視鏡の挿入部の遠位端にバルーンを設けた内視鏡において、前記挿入部の遠位端に前記バルーンの取付け位置を示す指標を設けたことを特徴とする内視鏡。
【００５３】
（付記２）前記指標は、挿入部の遠位端に周方向に設けられ、バルーンの内周筒部が係合する環状凹部であることを特徴とする付記１記載の内視鏡。
【００５４】
（付記３）前記指標は、挿入部の遠位端に軸方向に離間して設けられ、バルーンの両端に設けられた環状凸部と係合する環状溝であることを特徴とする付記１記載の内視鏡。
【００５５】
（付記４）前記指標は、挿入部の遠位端に軸方向に離間して設けられ、バルーンの両端に設けられた環状凸部と係合する環状突堤であることを特徴とする付記１記載の内視鏡。
【００５６】
（付記５）前記バルーンは、シリコンであることを特徴とする付記１記載の内視鏡。
【００５７】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００５８】
【図１】この発明の第１の実施形態を示すダブルバルーン式内視鏡の全体の側面図。
【図２】同実施形態の挿入部の先端部の縦断側面図。
【図３】同実施形態を示し、（Ａ）〜（Ｆ）はダブルバルーン式内視鏡の作用説明図。
【図４】この発明の第２の実施形態を示し、内視鏡の先端部の縦断側面図。
【図５】同実施形態を示し、内視鏡の側面図。
【図６】この発明の第３の実施形態を示し、内視鏡の先端部の縦断側面図。
【図７】この発明の第４の実施形態を示し、内視鏡の先端部の縦断側面図。
【符号の説明】
【００５９】
１…内視鏡、２…挿入部、３…湾曲部、４…先端構成部、６…操作部、１２…オーバチューブ本体、１３…オーバチューブ用バルーン、１８…環状凹部（指標）、１９…内視鏡用バルーン、２１…送気チューブ
【図１】
2005230083.tif 000003
【図２】
2005230083.tif 000004
【図３】
2005230083.tif 000005
【図４】
2005230083.tif 000006
【図５】
2005230083.tif 000007
【図６】
2005230083.tif 000008
【図７】
2005230083.tif 000009